(57)【特許請求の範囲】
【請求項１】
記録トラック溝が一定の周期で径方向に変動してなる光学的記録媒体と、前記光学的記録媒体に光ビームを照射する光照射手段と、前記光照射手段に対し所望の光強度で発光させる光駆動手段と、前記光学的記録媒体内の光強度学習領域に光強度学習開始光強度（Ｐｗ０）および所望の光強度（Ｐｗｎ）で光強度学習パターンを記録するよう制御する記録出力制御手段と、初期記録情報として予め光学的情報記録再生装置に保持されているトラック溝変動信号限界振幅比（δｔ）を読み込む初期記録情報読み込み手段と、前記光強度学習パターンの再生信号の振幅から変調度を検出する変調度検出手段と、前記記録トラック溝の周期的な変動により発生するトラック溝変動信号の振幅を検出するトラック溝変動信号振幅検出手段と、前記光強度学習領域に複数の光強度で記録された記録領域の変調度より前記光学的記録媒体に記録する下限光強度を演算する光強度下限演算手段と、前記光強度学習領域に記録された記録領域のトラック溝変動信号振幅より前記光学的記録媒体に記録する上限光強度を演算する光強度上限演算手段と、前記下限光強度と前記上限光強度より前記光学的記録媒体に情報を記録する光強度を決定する情報記録光強度決定手段とを備え、
前記光強度上限演算手段が、前記所望の光強度（Ｐｗｎ）で記録した前記記録領域のトラック溝変動信号振幅（ｗｎ）を前記光強度学習開始光強度（Ｐｗ０）で記録した記録領域のトラック溝変動信号振幅（ｗ０）で除算（ｗｎ／ｗ０）して前記光強度（Ｐｗｎ）でのトラック溝変動信号振幅比（δｎ）を算出する手段と、前記トラック溝変動信号振幅比（δｎ）と前記トラック溝変動信号限界振幅比（δｔ）との大小を比較する手段と、前記トラック溝変動信号振幅比（δｎ）が前記トラック溝変動信号限界振幅比（δｔ）以下になった場合、前記光強度（Ｐｗｎ）を前記上限光強度とする手段とからなることを特徴とする光学的情報記録再生装置。
【請求項２】
前記記録出力制御手段は、特性の異なる光学的記録媒体ごとに予め設定されている光強度学習初期強度より徐々に光強度を大きくするよう制御するとともに、前記光強度上限演算手段により光強度が前記上限光強度に達したらそれ以上は光強度を大きくしないよう制御する請求項１記載の光学的情報記録再生装置。
【請求項３】
前記情報記録光強度決定手段は、前記下限光強度に一定の値を加えた加算光強度を求める光強度加算手段と、前記加算光強度と前記上限光強度とを比較し小さい方の光強度を、前記情報を記録する光強度とする光強度選択手段とからなる請求項１記載の光学的情報記録再生装置。
【請求項４】
記録トラック溝を有する光学的記録媒体に光ビームを照射する光照射手段と、前記光照射手段に対し所望の光強度で発光させる光駆動手段と、前記光学的記録媒体内の光強度学習領域に光強度学習開始光強度（Ｐｗ０）および所望の光強度（Ｐｗｎ）で光強度学習パターンを記録するよう制御する記録出力制御手段と、初期記録情報として予め光学的情報記録再生装置に保持されているトラッキング誤差信号限界振幅比（τｔ）を読み込む初期記録情報読み込み手段と、前記光強度学習パターンの再生信号の振幅から変調度を検出する変調振幅検出手段と、トラッキング制御を切った状態で前記記録トラック溝を横切るように前記光ビームを移動させてトラッキング誤差信号を検出するトラッキング誤差信号検出手段と、前記光強度学習領域に複数の光強度で記録された記録領域の変調度より前記光学的記録媒体に記録する下限光強度を演算する光強度下限演算手段と、前記光強度学習領域に記録された記録領域のトラッキング誤差信号振幅より前記光学的記録媒体に記録する上限光強度を演算する光強度上限演算手段と、前記下限光強度と前記上限光強度より前記光学的記録媒体に情報を記録する光強度を決定する情報記録光強度決定手段とを備え、
前記光強度上限演算手段が、前記所望の光強度（Ｐｗｎ）で記録した前記記録領域のトラッキング誤差信号振幅（ＴＥｎ）を前記光強度学習開始光強度（Ｐｗ０）で記録した前記記録領域のトラッキング誤差信号振幅（ＴＥ０）で除算（ＴＥｎ／ＴＥ０）して前記光強度（Ｐｗｎ）でのトラッキング誤差信号振幅比（τｎ）を算出する手段と、前記トラッキング誤差信号振幅比（τｎ）と前記トラッキング誤差信号限界振幅比（τｔ）との大小を比較する手段と、前記トラッキング誤差信号振幅比（τｎ）が前記トラッキング誤差信号限界振幅比（τｔ）以下になった場合、前記光強度（Ｐｗｎ）を前記上限光強度とする手段とからなることを特徴とする光学的情報記録再生装置。
【請求項５】
前記記録出力制御手段は、特性の異なる光学的記録媒体ごとに予め設定されている光強度学習初期強度より徐々に光強度を大きくするよう制御するとともに、前記光強度上限演算手段により光強度が前記上限光強度に達したらそれ以上は光強度を大きくしないよう制御する請求項４記載の光学的情報記録再生装置。
【請求項６】
前記情報記録光強度決定手段は、前記下限光強度に一定の値を加えた加算光強度を求める光強度加算手段と、前記加算光強度と前記上限光強度とを比較し小さい方の光強度を、前記情報を記録する光強度とする光強度選択手段とからなる請求項４記載の光学的情報記録再生装置。
【発明の詳細な説明】
【０００１】
【発明の属する技術分野】
本発明は光学的記録媒体に情報を記録する光学的情報記録再生装置および記録光強度学習方法に関する。
【０００２】
【従来の技術】
従来、光学的記録媒体として、ＣＤ  Ｒｅｗｒｉｔａｂｌｅ媒体やＤＶＤ  Ｒｅ−ｒｅｃｏｒｄａｂｌｅ媒体があり、これらの媒体に情報を記録する光学的情報記録再生装置および記録光強度学習方法は、たとえば「ＤＶＤ Ｓｐｅｃｉｆｉｃａｔｉｏｎ  ｆｏｒ  Ｒｅ−ｒｅｃｏｒｄａｂｌｅ  Ｄｉｓｃ  Ｐａｒｔ１ＰＨＹＳＩＣＡＬ  ＳＰＥＣＩＦＩＣＡＴＩＯＮＳ」に記載されたものが知られている。
【０００３】
図９は従来の光学的情報記録再生装置の一例であるＤＶＤ Ｒｅ−ｒｅｃｏｒｄａｂｌｅの構造を示しており、光学的記録媒体（ＤＶＤ−ＲＷ媒体）である光ディスク１、前記光ディスク１に光ビームを照射するレーザダイオード(以下、ＬＤ（Ｌａｓｅｒ  Ｄｉｏｄｅ）と記す）を搭載しているピック２、前記ピック２内のＬＤを駆動するレーザ駆動回路３、前記レーザ駆動回路３に対し所望のレーザ出力を指令するレーザ出力制御回路４、前記光ディスク１上に記録されている初期記録情報を読み出す初期記録情報読み込み回路６、読み出された初期記録情報をもとに記録パワーを可変する記録パワー可変回路１２、前記光ディスク１上に記録された記録パターンから再生信号の変調度を検出する変調度検出回路７、前記変調度検出回路７から検出された変調度と記録パワーから記録パワーで正規化された変調度を演算する正規化変調係数演算回路８、正規化変調係数と初期記録情報から前記光ディスク１と前記ピック２との組み合わせにおける最適記録パワーを求める最適記録パワー演算回路１３、前記光ディスク１に記録する情報記録パターンを発生する記録パターン発生回路１１から構成されている。
【０００４】
光ディスク１上には図１０に示すごとく情報を記録するデータ領域２１以外に光ディスク１の内周部に情報を記録する場合必要に応じて記録パワーを学習する記録パワー学習領域２２が設けられている。
【０００５】
光学的情報記録再生装置が記録パワー学習を行う場合、まず光ディスク１上に記録されている初期記録情報である推奨記録パワーＰｉ等を初期記録情報読み込み回路６により読み込む。この推奨記録パワーＰｉは光ディスク毎に標準評価機等による一定条件のもとで決定された最適な記録パワーである。実際に情報を記録する場合には、記録時の温度状態によるＬＤ波長変化にともなう記録媒体の光感度変化やピック２の埃等によるレーザ伝送効率の低下等により最適記録パワーが異なるため、前記記録パワー学習領域２２で記録時の状態に応じた記録パワーを学習する必要がある。また、各光学的情報記録再生装置は光ディスク毎に最適パワー制御係数として、最適記録パワーを得るための増倍率ρ（以下、最適パワー増倍率ρ）、目標正規化変調係数γｔａｒｇｅｔ（以下、γｔと記す）を保持している。
【０００６】
次に光ピック２を光ディスク１の内周部に設けられた記録パワー学習領域２２に移動させ、記録パターン発生回路１１から記録パワー学習用パターンとしてたとえばランダムな８−１６エンコードデータパターンを発生させるとともに記録パワー可変回路１２は、前記推奨記録パワーＰｉを最適パワー増倍率ρで割った値より小さな記録パワーをパワー学習開始記録パワーＰｗ０とし、図１１に示すごとくパワー学習記録パワーを一定パワーづつ増加させ、１０段階の記録パワー（Ｐｗ０〜Ｐｗ９）で記録パワー学習用パターンを前記記録パワー学習領域２２内に記録する。
【０００７】
変調度検出時には、ピック２からは各記録パワーＰｗに応じた再生波形が再生され、変調度検出回路７により各記録パワーでの変調度（ｍ０〜ｍ９）が検出される。
【０００８】
図１２に一定の記録パワーで記録パワー学習用パターンが記録された場合の再生波形を示す。記録パワー学習用パターンは情報を記録する場合と同じ８−１６エンコードデータパターンで記録されているため記録単位時間Ｔ基準で３Ｔ〜１１Ｔおよび１４Ｔの記録長マーク（以後、マークと記す）と未記録長スペース（以後、スペースと記す）からなる。
【０００９】
変調度検出回路７は、最長スペースである１４Ｔスペース、最長マークである１４Ｔマークのそれぞれの振幅値ＡＨ１、ＡＬ１から数１を用いて変調度ｍを算出する。
【００１０】
【数１】
0003855755.tif 000002
【００１１】
変調度検出回路７は、前記記録パワーと検出した変調度ｍから図１３のごとく各記録パワーと変調度ｍの関係を求める。
【００１２】
正規化変調係数演算回路８は前記記録パワーと変調度の関係から数２を用いて図１３に示すごとく各記録パワーと正規化変調係数γの関係を算出する。
【００１３】
【数２】
0003855755.tif 000003
【００１４】
たとえば、記録パワーＰｗ０とＰｗ１の変調度ｍ０、ｍ１から、数３、数４を用いて記録パワーＰｗ０１での正規化変調係数γ１が算出できる。
【００１５】
【数３】
0003855755.tif 000004
【００１６】
【数４】
0003855755.tif 000005
【００１７】
次に最適記録パワー演算回路１３は前記各記録パワーと正規化変調係数γの関係から目標正規化変調係数γｔを実現する記録パワーである目標記録パワーＰｔを求め、数５を用いて最適記録パワーＰｏを算出し、情報記録パワーとする。
【００１８】
【数５】
0003855755.tif 000006
【００１９】
情報をデータ領域２１に記録する場合は、前記記録パワー学習を行って決定された情報記録パワーになるようレーザ出力制御回路４が動作し、パワー学習状態での最適記録パワーで情報が記録される。
【００２０】
【発明が解決しようとする課題】
この光学的情報記録再生装置においては、光ディスク上に記録されている推奨記録パワーＰｉや事前に求めた光ディスク毎の増倍率ρ、目標正規化変調係数γｔをもとに最適記録パワーを求めるため、標準評価機による一定条件下のもとでの最適記録パワーが求まる。しかしながら実際の装置においてはチルト等の機械的なずれやデフォーカス等の制御誤差など実効記録パワーが減少する要因があり、実際に情報を記録する情報記録パワーを最適記録パワーより高めに設定する必要がある。
【００２１】
また、光学的記録媒体は一般的に最適記録パワーより高い記録パワーで何度も記録を繰り返すと記録トラック溝を劣化させ記録トラック溝と光ビームとの相対位置情報であるトラッキング誤差信号振幅が減少し、最悪の場合トラッキング制御が不能になるという場合が発生する。
【００２２】
本発明は、情報記録パワーを高めに設定してもトラッキング制御が不能にならないよう記録パワーを決定する記録パワー学習を実現することを目的とする。
【００２３】
【課題を解決するための手段】
この課題を解決するために、本発明の光学的情報記録再生装置は、記録トラック溝が一定の周期で径方向に変動してなる光学的記録媒体と、前記光学的記録媒体に光ビームを照射する光照射手段と、前記光照射手段に対し所望の光強度で発光させる光駆動手段と、前記光学的記録媒体内の光強度学習領域に光強度学習開始光強度（Ｐｗ０）および所望の光強度（Ｐｗｎ）で光強度学習パターンを記録するよう制御する記録出力制御手段と、初期記録情報として予め光学的情報記録再生装置に保持されているトラック溝変動信号限界振幅比（δｔ）を読み込む初期記録情報読み込み手段と、前記光強度学習パターンの再生信号の振幅から変調度を検出する変調度検出手段と、前記記録トラック溝の周期的な変動により発生するトラック溝変動信号の振幅を検出するトラック溝変動信号振幅検出手段と、前記光強度学習領域に複数の光強度で記録された記録領域の変調度より前記光学的記録媒体に記録する下限光強度を演算する光強度下限演算手段と、前記光強度学習領域に記録された記録領域のトラック溝変動信号振幅より前記光学的記録媒体に記録する上限光強度を演算する光強度上限演算手段と、前記下限光強度と前記上限光強度より前記光学的記録媒体に情報を記録する光強度を決定する情報記録光強度決定手段とを備え、前記光強度上限演算手段が、前記所望の光強度（Ｐｗｎ）で記録した前記記録領域のトラック溝変動信号振幅（ｗｎ）を前記光強度学習開始光強度（Ｐｗ０）で記録した記録領域のトラック溝変動信号振幅（ｗ０）で除算（ｗｎ／ｗ０）して前記光強度（Ｐｗｎ）でのトラック溝変動信号振幅比（δｎ）を算出する手段と、前記トラック溝変動信号振幅比（δｎ）と前記トラック溝変動信号限界振幅比（δｔ）との大小を比較する手段と、前記トラック溝変動信号振幅比（δｎ）が前記トラック溝変動信号限界振幅比（δｔ）以下になった場合、前記光強度（Ｐｗｎ）を上限光強度と判断する手段とからなるものである。
【００２４】
また、本発明の他の光学的情報記録再生装置は、記録トラック溝を有する光学的記録媒体に光ビームを照射する光照射手段と、前記光照射手段に対し所望の光強度で発光させる光駆動手段と、前記光学的記録媒体内の光強度学習領域に光強度学習開始光強度（Ｐｗ０）および所望の光強度（Ｐｗｎ）で光強度学習パターンを記録するよう制御する記録出力制御手段と、初期記録情報として予め光学的情報記録再生装置に保持されているトラッキング誤差信号限界振幅比（τｔ）を読み込む初期記録情報読み込み手段と、前記光強度学習パターンの再生信号の振幅から変調度を検出する変調振幅検出手段と、トラッキング制御を切った状態で前記記録トラック溝を横切るように前記光ビームを移動させてトラッキング誤差信号を検出するトラッキング誤差信号検出手段と、前記光強度学習領域に複数の光強度で記録された記録領域の変調度より前記光学的記録媒体に記録する下限光強度を演算する光強度下限演算手段と、前記光強度学習領域に記録された記録領域のトラッキング誤差信号振幅より前記光学的記録媒体に記録する上限光強度を演算する光強度上限演算手段と、前記下限光強度と前記上限光強度より前記光学的記録媒体に情報を記録する光強度を決定する情報記録光強度決定手段とを備え、前記光強度上限演算手段が、前記所望の光強度（Ｐｗｎ）で記録した前記記録領域のトラッキング誤差信号振幅（ＴＥｎ）を前記光強度学習開始光強度（Ｐｗ０）で記録した前記記録領域のトラッキング誤差信号振幅（ＴＥ０）で除算（ＴＥｎ／ＴＥ０）して前記光強度（Ｐｗｎ）でのトラッキング誤差信号振幅比（τｎ）を算出する手段と、前記トラッキング誤差信号振幅比（τｎ）と前記トラッキング誤差信号限界振幅比（τｔ）との大小を比較する手段と、前記トラッキング誤差信号振幅比（τｎ）が前記トラッキング誤差信号限界振幅比（τｔ）以下になった場合、前記光強度（Ｐｗｎ）を前記上限光強度とする手段とからなるものである。
【００２５】
【発明の実施の形態】
以下、本発明の実施の形態について、図１から図８を用いて説明する。
【００２６】
（実施の形態１）
図１は本発明の光学的情報記録再生装置の一実施の形態を示し、図１において１は光学的記録媒体である光ディスクで、情報を記録する記録トラック溝が形成されており、また記録トラック溝には図３に示すような記録クロックを生成するために径方向に一定周期で変動してなるウォブルトラック１９が形成されている。
【００２７】
２は光照射手段で前記光ディスク１に光ビームを照射するＬＤを搭載しているピック、５は光駆動手段でＬＤを駆動するレーザ駆動回路３とレーザ出力制御回路４からなる。
【００２８】
６は前記光ディスク１上に記録されている初期記録情報を読み出す初期記録情報読み込み回路、７は変調度検出手段で再生信号の振幅から変調度を検出する変調度検出回路、１０は光強度下限演算手段で前記変調度検出回路７から検出された変調度と記録パワーから記録パワーで正規化された変調度を演算する正規化変調係数演算回路８と正規化変調係数をもとに情報を記録する下限光強度を演算する下限記録パワー演算回路９からなり、１２は記録出力制御手段で初期記録情報の推奨記録パワーと記録パワー増分から記録パワー学習に使用する記録パワーを制御する記録パワー可変回路、１４はウォブルトラックにより発生するトラック溝変動信号（以下、ウォブル信号と記す）の振幅を検出するトラック溝変動信号振幅検出手段であるウォブル信号振幅検出回路、１５は記録パワーによるウォブル信号振幅の減少量をもとに前記光学的記録媒体に記録する上限光強度を演算する光強度上限演算手段である上限記録パワー演算回路、１６は前記下限記録パワーと上限記録パワーをもとに情報を記録する光強度を決定する情報記録光強度決定手段である情報記録パワー決定回路である。
【００２９】
また図２は本発明の記録光強度学習方法の一実施の形態を示すものである。
【００３０】
以上のように構成された本発明の光学的情報記録再生装置および本発明の記録光強度学習（以下、記録パワー学習と記す）方法について図１〜図５を用いて説明する。
【００３１】
光学的情報記録再生装置が記録パワー学習を行う場合、まず光ディスク１上に記録されている初期記録情報である推奨記録パワーＰｉ等を初期記録情報読み込み回路６により読み込む。また、各光学的情報記録再生装置が保持している光ディスク毎の記録情報である下限記録パワーを得るための増倍率ρｍ（以下、下限記録パワー増倍率ρｍ）および下限正規化変調係数γｍ、上限記録パワーを得るためのウォブル信号限界振幅比δｔ、記録パワー学習時に記録パワーを増加させる量である記録パワー増分Ｐｄを取り込む。
【００３２】
従来の技術で述べた最適記録パワー増倍率ρ、目標正規化変調係数γｔは、標準評価機等での一定条件下での値であるが、本発明の光学的記録再生装置および光強度学習方法の下限記録パワー増倍率ρｍ、下限正規化変調係数γｍが最適記録パワー増倍率ρ、目標正規化変調係数γｔと同等となる場合もある。
【００３３】
次に光ピック２を光ディスク１の内周部に設けられた記録パワー学習領域２２に移動させ、記録パターン発生回路１１から記録パワー学習用パターンとしてたとえばランダムな８−１６エンコードデータパターンを発生させるとともに記録パワー可変回路１２は、前記下限記録パワーＰｉを下限パワー増倍率ρｍで割った値より小さな記録パワーをパワー学習開始記録パワーＰｗ０とし記録パワー学習用パターンを前記記録パワー学習領域２２内に記録する。
【００３４】
記録パワー学習用パターン再生時には、変調度検出回路７により記録パワーＰｗ０での変調度ｍ０を検出するとともに、ウォブル信号振幅検出回路１４によりウォブル信号振幅ｗ０を検出する。
【００３５】
図３に示すようにウォブルトラック１９上に沿って光ビーム２０が通過すると、図４に示すようなウォブル信号が検出される。ＤＶＤ−ＲＷ媒体の場合、このウォブル信号の周波数は標準速度で約１４０ＫＨｚで検出することができる。
【００３６】
上限記録パワー演算回路１５は、数６を用いて記録パワーＰｗ時のウォブル信号振幅ｗからウォブル信号振幅比δを算出する。
【００３７】
【数６】
0003855755.tif 000007
【００３８】
したがって、パワー学習開始記録パワーＰｗ０でのウォブル信号振幅比δ０は１である。また、上限記録パワー演算回路１５はウォブル信号振幅比δとウォブル信号限界振幅比δｔを比較し、ウォブル信号振幅比δがウォブル信号限界振幅比δｔより大きい場合は、記録パワー可変回路１２に、記録パワーＰｗを記録パワー増分Ｐｄだけ増すよう指令する。
【００３９】
記録パワー可変回路１２によりパワー学習開始記録パワーＰｗ０から記録パワー増分Ｐｄだけ記録パワーが増加した記録パワーＰｗ１により、再び記録パワー学習領域に記録パワー学習用パターンが記録され、変調度ｍ１とウォブル信号ｗ１が検出される。
【００４０】
正規化変調係数演算回路８は数３を用いて記録パワーＰｗ０１に応じた正規化変調係数γ１を算出する。
【００４１】
上限記録パワー演算回路１５は、数６を用いて記録パワーＰｗ１でのウォブル信号振幅ｗ１からｗ０を基準にウォブル信号振幅比δ１を算出する。また、上限記録パワー演算回路１５はウォブル信号振幅比δ１とウォブル信号限界振幅比δｔを比較し、ウォブル信号振幅比δ１がウォブル信号限界振幅比δｔより大きい場合は、記録パワー可変回路１２に、記録パワーＰｗ１を記録パワー増分Ｐｄだけ増すよう指令する。
【００４２】
このように、記録パワーを増加させるごとに、記録パワー学習領域に記録パワー学習用パターンを記録し、変調度ｍとウォブル信号振幅ｗを検出し、正規化変調係数γ、ウォブル信号振幅比δを求め、ウォブル信号限界振幅比δｔと比較する。
【００４３】
記録パワーＰｗｎで記録した場合のウォブル信号振幅比δｎがウォブル信号限界振幅比δｔ以下となった場合は、上限記録パワーＰｗｍａｘをＰｗｎとし、記録パワー学習領域への記録を終了する。
【００４４】
下限記録パワー演算回路９は、記録パワーと正規化変調係数γから下限正規化変調係数γｍに対応する記録パワーＰｍを求め、Ｐｍに下限記録パワー増倍率ρｍをかけた値を下限記録パワーＰｗｍｉｎとする。情報記録パワー決定回路１６は前記下限記録パワーＰｗｍｉｎと前記上限記録パワーＰｗｍａｘの間の記録パワーを情報を記録する情報記録パワーＰ０と設定する。
【００４５】
情報記録パワーＰ０は、たとえば、下限記録パワーＰｗｍｉｎに事前にチルト残差やサーボ制御誤差による記録パワー減少分を測定しておき、その記録パワーを加えた記録パワーと前記上限記録パワーＰｗｍａｘとを比較し、小さな値の記録パワーを情報記録パワーＰ０として決定する方法がある。
【００４６】
実際に情報をデータ領域に記録する場合、情報記録パワー決定回路１６は記録パワー学習により決定された情報記録パワーＰ０となるようレーザ出力制御回路４に指令を行い、適正な記録パワーで情報を記録することが可能となる。
【００４７】
なお、以上の説明では変調度の検出および正規化変調係数の算出を所定の記録パワーで記録後毎に行っていたが、記録パワーごとに学習パターンを異なる領域に記録するのであれば変調度の検出および正規化変調係数の算出は上限記録パワー決定後に一括して行っても同様な結果になることは言うまでもない。
【００４８】
（実施の形態２）
図６は本発明の光学的情報記録再生装置の一実施の形態を示し、図６において実施の形態１と異なるのはトラッキング誤差信号振幅検出回路１７およびトラッキング誤差信号振幅検出回路１７で検出されたトラッキング誤差信号振幅から上限記録パワーを求める上限記録パワー演算回路１８である。
【００４９】
また図７は本発明の記録光強度学習方法の一実施の形態を示すものである。
【００５０】
以上のように構成された本発明の光学的情報記録再生装置および本発明の記録光強度学習方法について図６〜図８を用いて説明する。
【００５１】
光学的情報記録再生装置が記録パワー学習を行う場合、まず光ディスク１上に記録されている初期記録情報である推奨記録パワーＰｉ等を初期記録情報読み込み回路６により読み込む。また、各光学的情報記録再生装置が保持している光ディスク毎の記録情報である下限記録パワー増倍率ρｍ、下限正規化変調係数γｍ、トラッキング誤差信号限界振幅比τｔ、記録パワー増分Ｐｄを取り込む。
【００５２】
次に光ピック２を光ディスク１の内周部に設けられた記録パワー学習領域２２に移動させ、記録パターン発生回路１１から記録パワー学習用パターンとしてたとえばランダムな８−１６エンコードデータパターンを発生させるとともに記録パワー可変回路１２は、前記下限記録パワーＰｉを下限パワー増倍率ρｍで割った値より小さな記録パワーをパワー学習開始記録パワーＰｗ０とし記録パワー学習用パターンを前記記録パワー学習領域内に記録する。
【００５３】
記録パワー学習用パターン再生時には、変調度検出回路７により記録パワーＰｗ０での変調度ｍ０を検出する。
【００５４】
次にトラッキング制御を切り、光ビームを記録パワーＰｗ０で記録した記録トラック溝を横切るよう移動させ、そのときのトラッキング誤差信号振幅検出回路１７によりトラッキング誤差信号振幅ＴＥ０を検出する。
【００５５】
上限記録パワー演算回路１８は、数７を用いて記録パワーＰｗ時のトラッキング誤差信号振幅ＴＥからトラッキング誤差信号振幅比τを算出する。
【００５６】
【数７】
0003855755.tif 000008
【００５７】
したがって、パワー学習開始記録パワーＰｗ０でのトラッキング誤差信号振幅比τ０は１である。また、上限記録パワー演算回路１８はトラッキング誤差信号振幅比τとトラッキング誤差信号限界振幅比τｔを比較し、トラッキング誤差信号振幅比τがトラッキング誤差信号限界振幅比τｔより大きい場合は、記録パワー可変回路１２に、記録パワーＰｗを記録パワー増分Ｐｄだけ増すよう指令する。
【００５８】
記録パワー可変回路１２によりパワー学習開始記録パワーＰｗ０から記録パワー増分Ｐｄだけ記録パワーが増加した記録パワーＰｗ１により、再び記録パワー学習領域に記録パワー学習用パターンが記録され、変調度ｍ１とウォブル信号ＴＥ１が検出される。
【００５９】
正規化変調係数演算回路８は数３を用いて記録パワーＰｗ０１に応じた正規化変調係数γ１を算出する。
【００６０】
上限記録パワー演算回路１８は、数７を用いて記録パワーＰｗ１でのトラッキング誤差信号振幅ＴＥ１からＴＥ０を基準にトラッキング誤差信号振幅比τ１を算出する。また、上限記録パワー演算回路１８はトラッキング誤差信号振幅比τ１とトラッキング誤差信号限界振幅比τｔを比較し、トラッキング誤差信号振幅比τ１がトラッキング誤差信号限界振幅比τｔより大きい場合は、記録パワー可変回路１２に、記録パワーＰｗ１を記録パワー増分Ｐｄだけ増すよう指令する。
【００６１】
このように、記録パワーを増加させるごとに、記録パワー学習領域に記録パワー学習用パターンを記録し、変調度ｍとトラッキング誤差信号振幅ＴＥを検出し、正規化変調係数γ、トラッキング誤差信号振幅比τを求め、トラッキング誤差信号限界振幅比τｔと比較する。
【００６２】
記録パワーＰｗｎで記録した場合のトラッキング誤差信号振幅比τｎがトラッキング誤差信号限界振幅比τｔ以下となった場合は、上限記録パワーＰｗｍａｘをＰｗｎとし、記録パワー学習領域への記録を終了する。
【００６３】
下限記録パワー演算回路９は、記録パワーと正規化変調係数γから下限正規化変調係数γｍに対応する記録パワーＰｍを求め、Ｐｍに下限記録パワー増倍率ρｍをかけた値を下限記録パワーＰｗｍｉｎとする。
【００６４】
情報記録パワー決定回路１６は、前記下限記録パワーＰｗｍｉｎと前記上限記録パワーＰｗｍａｘの間の記録パワーを情報を記録する情報記録パワーＰ０と設定する。
【００６５】
情報記録パワーＰ０は、たとえば、下限記録パワーＰｗｍｉｎに事前にチルト残差やサーボ制御誤差による記録パワー減少分を測定しておき、その記録パワーを加えた記録パワーと前記上限記録パワーＰｗｍａｘとを比較し、小さな値の記録パワーを情報記録パワーＰ０として決定する方法がある。
【００６６】
実際に情報をデータ領域に記録する場合、情報記録パワー決定回路１６は記録パワー学習により決定された情報記録パワーＰ０となるようレーザ出力制御回路４に指令を行い、適正な記録パワーで情報を記録することが可能となる。
【００６７】
なお、以上の説明では変調度の検出および正規化変調係数の算出を所定の記録パワーで記録後毎に行っていたが、記録パワーごとに学習パターンを異なる領域に記録するのであれば変調度の検出および正規化変調係数の算出は上限記録パワー決定後に一括して行っても同様な結果になることは言うまでもない。
【００６８】
【発明の効果】
以上のように本発明によれば、情報を記録する情報記録パワーを決定する記録光強度学習において下限記録パワーと上限記録パワーを求め、その間で記録パワーを決定するため、記録パワーが大きすぎて重ね書き記録を何度か行うことによる記録トラック溝の劣化が起こるということがなく、つねに、情報記録時の記録パワーを適正化できるという効果が得られる。
【図面の簡単な説明】
【図１】本発明の実施の形態１による光学的情報記録再生装置を示すブロック図
【図２】本発明の実施の形態１による記録光強度学習方法の説明図
【図３】光ディスク上の記録トラック溝の周期的変動を示す説明図
【図４】光ディスク上の記録トラック溝の周期的変動により検出されるウォブル信号を示す説明図
【図５】本発明の実施の形態１によるウォブル信号振幅比および正規化変調係数と記録パワーとの関係を示す説明図
【図６】本発明の実施の形態２による光学的情報記録再生装置を示すブロック図
【図７】本発明の実施の形態２による記録光強度学習方法の説明図
【図８】本発明の実施の形態２によるトラッキング誤差信号振幅比および正規化変調係数と記録パワーとの関係を示す説明図
【図９】従来の技術による光学的情報記録再生装置を示すブロック図
【図１０】光ディスクの記録パワー学習領域を示す説明図
【図１１】従来の技術による記録パワー学習時の記録パワーを示す説明図
【図１２】再生波形のアシンメトリの説明図
【図１３】再生信号の変調度および正規化変調係数と記録パワーとの関係を示す説明図
【符号の説明】
１  光ディスク
２  ピック
３  レーザ駆動回路
４  レーザ出力制御回路
５  光駆動手段
６  初期記録情報読み込み回路
７  変調度検出回路
８  正規化変調係数演算回路
９  下限記録パワー演算回路
１０  光強度下限演算手段
１１  記録パターン発生回路
１２  記録パワー可変回路
１３  最適記録パワー演算回路
１４  ウォブル信号振幅検出回路
１５  上限記録パワー演算回路
１６  情報記録パワー決定回路
１７  トラッキング誤差信号振幅検出回路
１８  上限記録パワー演算回路
１９  ウォブルトラック
２０  光ビーム
２１  データ領域
２２  記録パワー学習領域
【図１】
0003855755.tif 000009
【図２】
0003855755.tif 000010
【図３】
0003855755.tif 000011
【図４】
0003855755.tif 000012
【図５】
0003855755.tif 000013
【図６】
0003855755.tif 000014
【図７】
0003855755.tif 000015
【図８】
0003855755.tif 000016
【図９】
0003855755.tif 000017
【図１０】
0003855755.tif 000018
【図１１】
0003855755.tif 000019
【図１２】
0003855755.tif 000020
【図１３】
0003855755.tif 000021